(57)【要約】      （修正有）【課題】視力矯正用眼鏡使用者がその眼鏡の上に、３Ｄメガネを同時に使用するときの不安定さを改善し、より快適な使用感が得られる３Ｄメガネを提供する。【解決手段】３Ｄメガネ１の、使用者側より見て、内側上部のオーバーリム部分４−１または、３Ｄメガネ上部にひさしを有するものはその部分に、フック状の突起３−１を形成し、この突起を、視力矯正用眼鏡２のフレーム上部オーバーリム部分４−２に掛けることにより、両者を一体化する。【選択図】図１
0003171888.tif 000002
【実用新案登録請求の範囲】
【請求項１】
３Ｄメガネ（１）上部のオーバーリム部分（４−１）または、３Ｄメガネ上部にひさし（６）を有するものは（例えば、非特許文献１参照）その部分に、使用者顔面側にフック状の突起を形成した保持改善型３Ｄメガネ。
【請求項２】
前記フック状突起は、３Ｄメガネ（１）に一体成型により形成される（３−１、３−２）か、別途成型したもの（３−３）を、圧入または、接着または、ねじ止めにより、形成されることを特徴とする保持改善型３Ｄメガネ。
【請求項３】
前記フック状突起は、３Ｄメガネ（１）に別途成型したものを、貫通により嵌合されるもの（３−４）または、凸凹のガイドレール機能により嵌合されたもの（３−５）を、前後スライドを特徴とし、使用していないときは収納可能とすることを特徴とする保持改善型３Ｄ用メガネ。
【請求項４】
前記フック状突起は、３Ｄメガネ（１）に別途成型した物を、水平方向の回転軸（７−１）により可動を可能としたもの（３−６）、または垂直方向の回転軸（７−２）により可動することを可能とするもの（３−７）を特徴とし、使用していないとき収納を可能とすることを特徴とする保持改善型３Ｄメガネ。
【請求項５】
前記フック状突起は、３Ｄメガネ（８）が一枚のプレート状のもので、これを折り曲げて使用するタイプの場合、そのプレートの上部のオーバーリム部分（４−３）上部にあらかじめ作られており（３−８）、折り曲げて使用することを特徴とする保持改善型３Ｄメガネ。
【考案の詳細な説明】
【技術分野】
【０００１】  本考案は、視力矯正用眼鏡使用者がそのメガネ（２）の上に、三次元映像用（以下３Ｄと言う）メガネ（１）を同時に使用するとき、従来あった３Ｄメガネの顔面上における保持の不安定さの改善に関するものである。
【背景技術】
【０００２】  現在、実用化されている３Ｄ映像は、その多くが３Ｄメガネを使用することで可視できるものであるが、視力矯正用眼鏡使用者がそのメガネ（２）の上に、３Ｄメガネ（１）を同時に使用するとき、３Ｄメガネのノーズパッド（５−１）が鼻に掛らないなどで、顔面上において、その保持が不安定となり、使用中、３Ｄメガネが視線上よりズレるなど、快適な使用感の妨げになっている。
【先行技術文献】
【特許文献】
【０００３】
【特許文献１】登録実用新案第３１６６０５２
【非特許文献】
【０００４】
【非特許文献１】「ソニー（株）液晶テレビ総合カタログ２０１１．４、Ｐ３５」
【考案の概要】
【考案が解決しようとしている課題】
【０００５】  視力矯正用眼鏡使用者がそのメガネ（２）の上に、３Ｄメガネ（１）を同時に使用するとき、現在市販されているものは、３Ｄメガネのノーズパッド（５−１）が鼻に掛らないなどで、顔面上において、その保持が不安定となり、３Ｄメガネが視線上からズレるなどの問題を有している。
本考案は、以上の問題点を改善し、３Ｄメガネの顔面上の安定を確保し、より快適な使用を可能とする３Ｄメガネを提供するところにある。
【課題を解決するための手段】
【０００６】  ３Ｄメガネ（１）上部のオーバーリム部分（４−１）または、３Ｄメガネ上部にひさし（６）を有するものは（例えば、非特許文献１参照）その部分に、使用者顔面側にフック状の突起を形成した保持改善型３Ｄメガネ。
前記フック状突起は、３Ｄメガネ（１）に一体成型により形成される（３−１、３−２）か、別途成型したもの（３−３）を、圧入または、接着または、ねじ止めにより、形成されることを特徴とする保持改善型３Ｄメガネ。
前記フック状突起は、３Ｄメガネ（１）に別途成型したものを、貫通により嵌合されるもの（３−４）または、凸凹のガイドレール機能により嵌合されたもの（３−５）を、前後スライドを特徴とし、使用していないときは収納可能とすることを特徴とする保持改善型３Ｄ用メガネ。
前記フック状突起は、３Ｄメガネ（１）に別途成型した物を、水平方向の回転軸（７−１）により可動を可能としたもの（３−６）、または垂直方向の回転軸（７−２）により可動することを可能とするもの（３−７）を特徴とし、使用していないとき収納を可能とすることを特徴とする保持改善型３Ｄメガネ。
前記フック状突起は、３Ｄメガネ（８）が一枚のプレート状のもので、これを折り曲げて使用するタイプの場合、そのプレートの上部のオーバーリム部分（４−３）上部にあらかじめ作られており（３−８）、折り曲げて使用することを特徴とする保持改善型３Ｄメガネ。
【考案の効果】
【０００７】（イ）請求項１において
｛１｝３Ｄメガネ（１）に形成されたフック状突起部（３−１）を、視力矯正用眼鏡の        フレーム上部、オーバーリム（４−２）に掛けることにより両者が一体となり、        顔面上でより安定した使用感を作り出すことが可能となる。
｛２｝日常使用している、視力矯正用眼鏡がそのまま使えるものである。
｛３｝３Ｄメガネの大幅な形状変更を伴わず、大半の３Ｄメガネに適用可能な方法であ        る。
（ロ）請求項２は、請求項１を実現するにあたり、比較的、安価で実現できるものである    。
（ハ）請求項３、および請求項４は、請求項１を実現するにあたり、フック状突起（３−    ４，３−５，３−６，３−７）を使用しないとき、収納を可能とし、フック状突起の    存在の違和感を緩和するものである
（ニ）請求項５は、請求項１を実現するにあたり、３Ｄメガネが一枚のプレート状のもの    （７）に対応したもので、安価で対応できるものである。
【図面の簡単な説明】
【０００８】
【図１】  請求項１の実施に係る、本考案の全体構成を示した斜視図である。
【図２】  請求項２の実施に係る３Ｄメガネの一例を示す斜視図である。
【図３】  請求項２の実施に係る３Ｄメガネの一例を示す斜視図である。
【図４】  請求項３の実施に係る３Ｄメガネの一例を示す斜視図である。
【図５】  請求項３の実施に係る３Ｄメガネの一例を示す斜視図である。
【図６】  請求項４の実施に係る３Ｄメガネの一例を示す斜視図である。
【図７】  請求項４の実施に係る３Ｄメガネの一例を示す斜視図である。
【図８】  請求項５の実施に係る３Ｄメガネの一例を示す斜視図である。
【考案を実施するための形態】
【０００９】以下、本考案の実施の形態を説明する。
（イ）３Ｄメガネ（１）上部のオーバーリム部分（４−１）または、３Ｄメガネ上部にひ      さし（６）を有するものはその部分に、使用者顔面側にフック状の突起を形成する      。
（ロ）この突起は以下のいずれかの方法で形成される。
｛１｝    前記のフック状突起は、３Ｄメガネ（１）上部のオーバーリム（４−１）ま          たは、３Ｄメガネ上部にひさし（６）を有するものは、その部分に、あらかじ          め一体成型（３−１，３−２）か、別途成型したもの（３−３）を、圧入また          は、接着または、ねじ止めにより、形成されるもの。
｛２｝    前記のフック状突起は、３Ｄメガネ（１）上部のオーバーリム（４−１）ま          たは、３Ｄメガネ上部にひさし（６）を有するものは、その部分に、貫通によ          り嵌合されたもの（３−４）または、凸凹のガイドレール機能により嵌合され          たもの（３−５）を、前後スライドを特徴とし、使用していないときは収納を          可能とした形により形成されるもの。
｛３｝    前記のフック状突起は３Ｄメガネ（１）上部のオーバーリム（４−１）また          は、３Ｄメガネ上部にひさし（６）を有するものは、水平方向の回転軸（７−          １）により可動することを可能としたもの（３−６）、または垂直方向の回転          軸（７−２）により可動することを可能としたもの（３−７）を特徴とし、使          用していないとき収納を可能とした形により形成されるもの。
｛４｝    前記のフック状突起は、３Ｄメガネ（８）が一枚のプレート状のもので、こ          れを折り曲げて使用するタイプの場合、フック部分（３−８）はそのプレート          のオーバーリム相当部分（４−３）上部にあらかじめ作られており、折り曲げ          て使用されるもの。
本考案は以上の構成よりなる。
【符号の説明】
【００１０】１、                              ３Ｄメガネ
２、                              視力矯正用眼鏡
３−１、３−２、                  フック状突起、一体成型式、
３−３、                          フック状突起、別途成型固定式
３−４，３−５、３−６、３−７、  フック状突起、可動式、
３−８、                          フック状突起、プレート状３Ｄメガネ式
４−１、４−２、４−３、          オーバーリム部分
５−１、５−２                    ノーズパッド
６、                              ひさし
７−１、７−２、                  回転軸
８、                              プレート状３Ｄメガネ
【図１】
0003171888.tif 000003
【図２】
0003171888.tif 000004
【図３】
0003171888.tif 000005
【図４】
0003171888.tif 000006
【図５】
0003171888.tif 000007
【図６】
0003171888.tif 000008
【図７】
0003171888.tif 000009
【図８】
0003171888.tif 000010
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
３Ｄメガネ上部のオーバーリム部分、または、３Ｄメガネ上部にひさしを有するものは、その部分に、使用者顔面側にフック状の突起を形成した保持改善型３Ｄメガネ。
【請求項２】
前記フック状突起は、３Ｄメガネに一体成型により形成されるか、別途成型したものを、圧入または、接着または、ねじ止めにより、形成されることを特徴とする請求項１に記載の保持改善型３Ｄメガネ。
【請求項３】
前記フック状突起は、３Ｄメガネに別途成型したものを、貫通により嵌合されるもの、または、凸凹のガイドレール機能により嵌合されたものを、前後スライドを特徴とし、使用していないときは収納可能とすることを特徴とする請求項１に記載の保持改善型３Ｄ用メガネ。
【請求項４】
前記フック状突起は、３Ｄメガネに別途成型した物を、水平方向の回転軸により可動を可能としたもの、または垂直方向の回転軸により可動することを可能とするものを特徴とし、使用していないとき収納を可能とすることを特徴とする請求項１に記載の保持改善型３Ｄメガネ。
【請求項５】
前記フック状突起は、３Ｄメガネが一枚のプレート状のもので、これを折り曲げて使用するタイプの場合、そのプレートの上部のオーバーリム部分上部にあらかじめ作られており、折り曲げて使用することを特徴とする請求項１に記載の保持改善型３Ｄメガネ。